(57)【要約】【課題】      凹凸を有し縫製加工が可能で、充分な後席者用フットスペースを確保できるシートバックを提供することである。【手段】      シートバックＳＢの前表皮２と、シートバックＳＢの背裏側を構成する裏表皮のいずれか一方又は双方を、合成樹脂を含浸させて凹凸状に成形してなる成形不織布で凹凸状に成形する。または、 ショア硬さ５０程度又はそれ以下の硬さを有しかつ縫合可能な素材から凹凸状に成形してなることを特徴とする。【選択図】            図１
2009291599.tif 000002
【特許請求の範囲】
【請求項１】
シートバックの前面側を構成する前表皮とシートバックの背裏側を構成する後表皮の双方又はいずれか一方を、合成樹脂を含浸させて凹凸状に成形してなる成形不織布で形成してなる自動車用シートバック。
【請求項２】
前記成形不織布の表面に、装飾用の樹脂フィルムをラミネートしてなる請求項１記載の自動車用シートバック。
【請求項３】
前記成形不織布に、後席者のフットスペース用の凹部を設けてなる請求項１、２記載の自動車用シートバック。
【請求項４】
前記後表皮は前表皮の上部と一体の後表皮上部と、この後表皮上部と前表皮の左、右両側部とに連結する前記成形不織布とからなり、該成形不織布は上向きに逆Ｕ字状に形成され、その上部端末は内方に向けて略水平状に形成し、この成形不織布の端末を前記後表皮上部と前表皮の左、右両側部の両端末に有する相互に係合する係合手段で一体連結してなる請求項１、２、３記載の自動車用シートバック。
【請求項５】
シートバックの前面側を構成する前表皮とシートバックの背裏側を構成する後表皮の双方又はいずれか一方を、ショア硬さ５０程度又はそれ以下の硬さを有しかつ縫合可能な素材から凹凸状に成形してなる自動車用シートバック。
【発明の詳細な説明】
【技術分野】
【０００１】
本発明は自動車用シートのシートバック、詳しくはシートバックの表面構造に関する。
【背景技術】
【０００２】
従来の自動車用シートのシートバックには、フレームに発泡体製のパッドを当て、これを袋状に縫製した表皮で被覆したものがある。
【０００３】
また、表皮に前記パッドを一体成形して、表面に凹凸形状を付与したもの(例えば特開平２−３０７４９４号公報)もある。
【０００４】
更に、表皮の組付性を向上させるために、シートバックの背裏側の表皮を前面側の表皮と分割して両者をスライドファスナーで一体に連結するもの(例えば特開２００５−２６２６２８号公報)も開示されている。
【先行技術文献】
【特許文献】
【０００５】
【特許文献１】特開平２−３０７４９４号公報
【特許文献２】特開２００５−２６２６２８号公報
【発明の概要】
【発明が解決しようとする課題】
【０００６】
以上の表皮は織物地、合成樹脂製レザー、皮革など単体では凹凸状に成形し難い部材を使用しているため、発泡体製パッドと一体成形又はパッドに接着することにより、表面形状が凹凸状になるようにしている。
【０００７】
一方、不織布(フェルト)を例えばシートバックの背裏側に使用したものがあり、これはシートバックの前面側の織物地などからなる表皮にミシンで縫製できる利点があり、広く実施されている。
【０００８】
しかし、この不織布を使用したものは全体が平面状であるために、シートバックの背裏側に、後席者のフットスペースを充分に確保できるように凹部を形成できない。
【０００９】
斯かる不具合を解消するために、ポリプロピレンなどの合成樹脂で射出成形して、前記フットスペース用の凹部を形成した樹脂製プレートをシートバックの背裏側に設けたものがある。
【００１０】
これは樹脂製プレートであるため、前記表皮に対する縫製が困難であるばかりか、シートバックのフレーム側に係止しなければならず、その取付作業に工数を要するし、取付後、後席者の膝、足が当たると、樹脂製プレートがシートバック内のフレームに張架したばねに接触し、異音が発生する欠点があった。
【００１１】
そこで本発明は以上の従来品の不具合を解消することを目的とする。
【課題を解決するための手段】
【００１２】
以上の目的を達成するための本請求項１に係る自動車用シートバックは、シートバックの前面側を構成する前表皮とシートバックの背裏側を構成する後表皮の双方又はいずれか一方を、合成樹脂を含浸させて凹凸状に成形してなる成形不織布で形成してなることを特徴とする。
【００１３】
本請求項２の発明は、前記成形不織布の表面に、装飾用の樹脂フィルムをラミネートしてなる構成である。
【００１４】
本請求項３の発明は、前記成形不織布に、後席者のフットスペース用の凹部を設けてなる構成である。
【００１５】
本請求項４の発明は、前記後表皮は前表皮の上部と一体の後表皮上部と、この後表皮上部と前表皮の左、右両側部とに連結する前記成形不織布とからなり、該成形不織布は上向きに逆Ｕ字状に形成され、その上部端末は内方に向けて略水平状に形成し、この成形不織布の端末を前記後表皮上部と前表皮の左、右両側部の両端末に有する相互に係合する係合手段で一体連結してなる構成である。
【００１６】
本請求項５の発明は、シートバックの前面側を構成する前表皮とシートバックの背裏側を構成する後表皮の双方又はいずれか一方を、ショア硬さ５０程度又はそれ以下の硬さを有しかつ縫合可能な 素材から凹凸状に成形してなる構成で、例えば、合成樹脂材に合成皮革を貼着したものある。
【発明の効果】
【００１７】
本請求項１の発明によれば、前記成形不織布単体で凹凸状をに成形できるために、従来品の如く、表皮に発泡体製パッドを一体発泡、或いはパッドに表皮に接着したりして、表皮に凹凸形状を付与させる必要がない。そのため、例えばパッドを裏面側に設ける必要のなくシートバックの背裏側に凹凸形状を形成できる。
【００１８】
本請求項２の発明は、前記素材は合成樹脂を含浸させて凹凸状に成形してなる成形不織布又は、合成樹脂材に合成皮革を貼着した部材である構成である。素材単体で凹凸状をに成形できるために、従来品の如く、表皮に発泡体製パッドを一体発泡、或いはパッドに表皮に接着したりして、表皮に凹凸形状を付与させる必要がない。そのため、例えばパッドを裏面側に設ける必要のなくシートバックの背裏側に凹凸形状を形成できる。
【００１９】
また、前記成形不織布を成形して脱型する際、成形不織布が柔軟性を有するため、所望の複雑な凹凸形状に成形できる。
【００２０】
加えて、前記成形不織布は他の表皮部材に対して縫合が可能となるため、意匠的に優れたシートバックを提供できる。      
【００２１】
本請求項２の発明によれば、装飾用の樹脂フィルムによって、成形不織布は被覆されているため、更に、意匠的に優れたシートバックを提供できる。
【００２２】
本請求項３の発明によれば、前記成形不織布が軟質でシートバック内のばね材などに接触しても異音が発生しない。そのため、シートバック内のばね部材に前記成形不織布を近接させることができ、フットスペースを従来品に対して拡大状に形成でき、フットスペースの使用性を向上させることができる。
【００２３】
本請求項４の発明によれば、前記成形不織布が後表皮上部、前表皮の左、右両側部に対して独立状に形成されているため、前表皮等の組付が行い易いし、また、この前記成形不織布の端末及び前記後表皮上部と前表皮の左、右両側部の両端末に対する係合手段の縫合が容易になるし、成形不織布の前表皮等に対する係合手段による連結がスムーズに行うことができる。
【００２４】
特に、成形不織布と後表皮上部等の係合手段としてスライドファスナーを使用した場合には、スライドファスナーの成形不織布と後表皮上部等の縫合が行いやすいし、また、スライドファスナーのスライダーの操作性がよく、スライドファスナーによる連結を円滑に行うことができる。
【００２５】
本請求項５の発明によれば、シートバックの前面側を構成する前表皮とシートバックの背裏側を構成する後表皮の双方又はいずれか一方を、ショア硬さ５０程度又はそれ以下の硬さを有しかつ縫合可能な 素材から凹凸状に成形してなるから、端末にスライドファスナーなどを縫合して前表皮と後表皮とを連結できるし、両者の端末を一体にミシンで縫い合わせることもできる。更に、素材全体の 硬さをショア硬さ５０程度又はそれ以下の硬さにすることにより、後席者用のフットスペースでのたわみが容易に確保できるし、また、後席者に異質感を与えないものを提供できる。
また、前記成形不織布と同様に、柔軟性を有するため、所望の複雑な凹凸形状に成形できるなど前記成形不織布と同様の効果が得られる。
【図面の簡単な説明】
【００２６】
【図１】本発明に係るシートバックの斜視図。
【図２】図１のＸ―Ｘ線断面図。
【図３】図１のＹ―Ｙ線断面図。
【図４】本発明に使用する成形不織布の斜視図。
【図５】図４のＺ―Ｚ線断面図。
【図６】他の実施例の斜視図。
【発明を実施するための形態】
【００２７】
図１−図５は本発明の第１実施例を示し、図中１は成形不織布、２は従来の表皮部材からなりシートバックＳＢの前面側を構成する前表皮、３は発泡体製パッド、４はフレーム、５はフレーム４に張架したばねを各々示す。  
【００２８】
図示する前記前表皮２はシートバックＳＢの前面を位置する身頃２１と、この身頃２１と一体でシートバックＳＢの側面における前側を位置するまち２０とから構成され、これらの内側にはパッド３が一体に形成されている。そして、身頃２１とまち２０の上部にはシートバックＳＢの背裏側に位置するパッド３０付の後表皮上部２２が一体に縫合されている。
【００２９】
以上の前表皮２等はいずれも従来のシートバックに使用されている織物地、樹脂製レザー、皮革などで形成されている。
【００３０】
以上の成形不織布は例えば実開平７−１５４４８号公報に開示されているように、ポリエステル繊維にＳＢ系樹脂を含浸させて加熱等してプレス成形した不織布で、図示するものは、中央に後席者のフットスペース用の凹部１０等が成形されている。  
【００３１】
そして、この成形不織布の成形時に同時に装飾用の樹脂(ポリエステルなど)フィルムをラミネート加工するのが好ましく、斯様にラミネートすることにより、成形不織布の外面が樹脂フィルムで被覆されるため、外観品質が良好になるし、成形不織布の保形性を向上させることができる。
【００３２】
成形不織布１は図示するように、上向きに逆Ｕ字状に成形され、シートバックＳＢの背裏下部及び左右両側面の後半部の外表面を構成する。
【００３３】
図中１０Ａは凹部１０の底部、１１は成形不織布１の中央部、１２、１２は同側部、１３は上部、１４は折曲部、１５、１５は側部１２，１２の端末を各々示す。
【００３４】
以上の成形不織布１の上部１３は図３に示すように中央部１１に対して略直角状に成形されている。従って、成形不織布１の取付状態で内方に向けて略水平状に折曲成形され、その端末に、相互に係合する一方のファスナーチェン１６Ａがミシンで縫合されている。また、この一方のファスナーチェン１６Ａは側部１２、１２の端末１５、１５に沿って設けてある。
【００３５】
従って、一方のスライドチェン１６Ａは一方の端末１５、上部１３の端末、他方の端末１５に渉って設けてあり、上部１３の端末が略平坦状であるので、側部１２の端末１５、１５から上部１３の端末に向けて一方のファスナーチェン１６Ａが縫合し易くなる。
【００３６】
なお、この一方のファスナーチェン１６Ａに係合する他方のファスナチェン１６Ｂは前記前表皮２の左右両まち２０及び後表皮上部２２の端末に各々縫合され、両ファスナーチェン１６Ａ、１６Ｂをスライダーで係合することにより、成形不織布１は前表皮２などに一体に連結されシートバックＳＢを形成する。
【００３７】
以上のスライダーで両ファスーナチェン１６Ａ、１６Ｂを係合させる際、ファスナーチェン１６Ａを縫着した成形不織布１の上部１３が略水平状であるから、一方の側部１２側の端末１５から上部１３、他方の側部１２の端末１５にスライダーが移動し易く的確に成形不織布１を連結できる。
【００３８】
なお、スライドファスナを成形不織布１の前表皮２等に対する係合手段としているが、他の係合手段、例えばベルベット式ファスナーなどを使用してもよい。
【００３９】
従って、以上の如き、成形不織布１でシートバックＳＢの背裏側を形成すると、成形不織布１が軟質であるため、ばね５に凹部１０の内側が接触しても異音が発生しない。
【００４０】
そのため、凹部１０をばね５に近接できるように、凹部１０の深さを深くして後席者用のフットスペースを拡大することが可能となる。
【００４１】
なお、成形不織布１の折曲部１４はシートクッションＳＣの底部に固定して、シートバックＳＢを前倒した際に、シートバックＳＢの下端部が露出しないようにしている。
【００４２】
また、成形不織布１の左右両側部１２の下端部１２Ａ、１２Ａは内方に折曲状に成形して、リクライニングデバイス(不図示)を確実に被覆するように構成されている。
【００４３】
図６に示す第２実施例は、シートバックの表皮を前表皮２と後表皮とに２分割して、両者をスライドファスナー１６Ａ、１６Ｂで一体に連結するようにして、表皮の組み付作業を行い易くしたものであり、前記後表皮全体を成形不織布１´で形成している。
【００４４】
この成形不織布１´には、前記凹部１０が成形されて、この成形不織布１´も前記成形不織布１と同一の材質で成形されている。図中１２´、１２´は成形不織布１´の側部で、シートバックＳＢの側面後半部を形成している。
【００４５】
成形不織布１の代わりに、ショア硬さ５０程度又はそれ以下の硬さを有しかつ縫合可能な 素材から凹凸状に成形してもよい。そして、この素材は保形性を有し且つプレスなどにより凹凸状に成形可能で、少なくとも端末が縫合可能な素材、例えば、合成樹脂材に合成皮革を貼着したものなどを使用して、端末にスライドファスナーなどをミシンで縫合して前表皮と後表皮とを連結でき、また、両者の端末を一体にミシンで縫い合わせることもできるものを使用する。
【００４６】
素材全体の 硬さをショア硬さ５０程度又はそれ以下の硬さにすることにより、後席者用のフットスペースでのたわみが容易に確保できるし、また、後席者に異質感を与えないものを提供できる。
【００４７】
以上の素材として、以上の合成樹脂材に合成皮革を貼着したものを使用した場合は、合成樹脂材と合成皮革の一方又は双方の外面を装飾するのが好ましい。
【００４８】
従って、前記成形不織布の代わりに、以上の素材を使用しても、前記成形不織布と同様に、柔軟性を有するため、所望の複雑な凹凸形状に成形できるなど前記成形不織布と同様の効果が得られる。
【符号の説明】
【００４９】
１…成形不織布、１´…成形不織布、２…前表皮、１０…成形不織布の凹部
【図１】
2009291599.tif 000003
【図２】
2009291599.tif 000004
【図３】
2009291599.tif 000005
【図４】
2009291599.tif 000006
【図５】
2009291599.tif 000007
【図６】
2009291599.tif 000008